(57)【特許請求の範囲】
【請求項１】
シートの背もたれ上面に取付けられるヘッドレストの左右一対のステーが貫通する左右一対の貫通孔を上面に設け更に両側面にねじ孔を設けたフレームと、該ヘッドレストの左右一対のステーが貫通する左右一対の貫通孔と該貫通孔の外側に付属品取付け穴を上面に設け更に両側面にねじ貫通孔を設けた箱蓋状基台と、該箱蓋状基台のねじ貫通孔を介して該フレームのねじ孔に螺着されるねじとからなり、取付けられるべき付属品の取付けブラケットを該付属品取付け穴に挿込み、該取付けブラケットのねじ貫通孔を介して該ねじを該フレームのねじ孔に螺着することによって該付属品が取付けられるようにしたことを特徴とするヘッドレストの取付け部材。
【請求項２】
シートの背もたれ上面から下方にヘッドレストの左右一対のステーが挿着される左右一対の挿着孔を設け、該背もたれ上面に請求項１のヘッドレスト取付け部材のフレームを載置し、その上から該ヘッドレスト取付け部材の箱蓋状基台を被着し、その上からヘッドレストの左右一対のステーを該基台の貫通孔と該フレームの貫通孔とを介して該背もたれの挿着孔に挿着することによって該ヘッドレストを該背もたれ上側に取付けると共に、該箱蓋状基台の付属品取付け穴の一方または両方には所定の付属品の下端から差出されねじ貫通孔を設けた取付けブラケットを挿入し、該基台のねじ貫通孔と付属品の取付けブラケットのねじ貫通孔とを介して該ヘッドレスト取付け部材のねじを該フレームのねじ孔に螺着したことを特徴とするシートのヘッドレストの取付構造。
【請求項３】
該付属品はクッション本体と、該クッション本体の下縁から差出される取付けブラケットとからなるサイドピローである請求項２に記載のヘッドレストの取付構造
【請求項４】
該クッション本体は取付けブラケットから立設される支柱に回動可能に取付けられている請求項３に記載のヘッドレストの取付構造。
【請求項５】
該付属品はグリップ本体と、該グリップ本体の根下端部から差出される取付けブラケットとからなるグリップである請求項１に記載のヘッドレストの取付構造。
【請求項６】
該付属品はフック本体と、該フック本体下端から差出される取付けブラケットとからなるマルチフックである請求項２に記載のヘッドレストの取付構造。
【請求項７】
該付属品は下端から取付けブラケットが差出されている基部と、該基部の側面から差出されている切欠き円筒状ホルダーとからなる杖ホルダーである請求項２に記載のヘッドレストの取付構造。
【請求項８】
請求項１のヘッドレスト取付け部材と、各種付属品とからなることを特徴とする付属品キット。
【発明の詳細な説明】
【０００１】
【発明の属する技術分野】
本発明は自動車等のシートのヘッドレスト取付け部材、該ヘッドレストの取付構造、および付属品キットに関するものである。
【０００２】
【従来の技術】
自動車等のシートの上縁にはヘッドレストが取付けられている。該ヘッドレストはヘッドレスト本体の下面から差出されている左右一対のステーをシート背もたれ上面に開口する左右一対のステーパイプに挿着することによって、シート上縁に取付けられている。
【０００３】
【発明が解決しようとする課題】
本発明の課題はこのようなヘッドレストの取付構造を利用して、シート背もたれ上面に、種々の付属品を取付けることを課題とする。
【０００４】
【課題を解決するための手段】
本発明は上記従来の課題を解決するための手段として、シートの背もたれ(1) 上面に取付けられるヘッドレスト(4) の左右一対のステー(6,6) が貫通する左右一対の貫通孔(10,10) を上面に設け更に両側面にねじ孔(11,11) を設けたフレーム(7) と、該ヘッドレスト(4) の左右一対のステー(6,6) が貫通する左右一対の貫通孔(15,15) と該貫通孔(15,15) の外側に付属品取付け穴(16,16) を上面に設け更に両側面にねじ貫通孔(17,17) を設けた箱蓋状基台(12)と、該箱蓋状基台(12)のねじ貫通孔(17,17) を介して該フレーム(7) のねじ孔(11,11) に螺着されるねじ(27)とからなり、取付けられるべき付属品(18,29,35,40)の取付けブラケット(25,32,38,44)を該付属品取付け穴(16,16)に挿込み、該取付けブラケット(25,32,38,44)のねじ貫通孔(24,33,39,45)を介して該ねじ(27,27)を該フレーム(7)のねじ孔(11,11)に螺着することによって該付属品(18,29,35,40)が取付けられるようにしたヘッドレスト(4) の取付け部材およびシートの背もたれ(1) 上面から下方にヘッドレスト(4) の左右一対のステー(6,6) が挿着される左右一対の挿着孔(3,3) を設け、該背もたれ(1) 上面に前記ヘッドレスト(4) の取付け部材のフレーム(7) を載置し、その上から該ヘッドレスト取付け部材の箱蓋状基台(12)を被着し、その上からヘッドレスト(4) の左右一対のステー(6,6) を該基台(12)の貫通孔(15,15) と該フレーム(7) の貫通孔(10,10) とを介して該背もたれ(1) の挿着孔(3,3) に挿着することによって該ヘッドレスト(4) を該背もたれ(1) 上側に取付けると共に、該箱蓋状基台(12)の付属品取付け穴(16,16) の一方または両方には所定の付属品(18,29,35,40) の下端から差出されねじ貫通孔(24,33,39,45) を設けた取付けブラケット(25,32,38,44) を挿入し、該基台(12)のねじ貫通孔(17,17) と付属品(18,29,35,40) の取付けブラケット(25,32,38,44) のねじ貫通孔(24,33,39,45) とを介して該ヘッドレスト取付け部材のねじ(27,27) を該フレーム(7) のねじ孔(11,11) に螺着したシートのヘッドレスト(4) の取付構造を提供するものである。
また本発明はヘッドレストの取付け部材(7,12,27) と、各種付属品(18,29,35,40) とからなる付属品キットを提供するものである。
例えば該付属品はクッション本体(20)と、該クッション本体(20)の下縁から差出される取付けブラケット(25)とからなるサイドピロー(18)であり、該クッション本体(20)は取付けブラケット(25)から立設される支柱(22)に回動可能に取付けられていることが望ましく、例えば該付属品はグリップ本体(31)と、該グリップ本体(31)の根下端部から差出される取付けブラケット(32)とからなるグリップ(29)であり、また例えば該付属品はフック本体(36)と、該フック本体(36)下端から差出される取付けブラケット(38)とからなるマルチフック(35)であり、更に例えば該付属品は下端から取付けブラケット(44)が差出されている基部(41)と、該基部(41)の側面から差出されている切欠き円筒状ホルダー(42)とからなる杖ホルダー(40)である。
【０００５】
【作用】
シートの背もたれ(1) の上面にヘッドレスト取付け部材のフレーム(7) を置き、その上からヘッドレスト取付け部材の基台(12)を被着し、その上からヘッドレスト(4) のステー(6,6) を、該基台(12)の貫通孔(15,15) 、該フレーム(7) の貫通孔(10,10) を介して、該背もたれ(1) の挿着孔(3,3) に挿着して該ヘッドレスト(4) を取付けると共に、該基台(12)の付属品取付け穴(16,16) に所定の付属品(18,29,35,40) の取付けブラケット(25,32,38,44) を挿入し、該基台(12)のねじ貫通孔(17,17) と該付属品(18,29,35,40) の取付けブラケット(25,32,38,44) のねじ貫通孔(24,33,39,45) とを介してねじ(27,27) を該フレーム(7) のねじ孔(11,11) に螺着することにより、該ヘッドレスト(4) の側部に該付属品(18,29,35,40) を取付ける。
【０００６】
【発明の実施の形態】
本発明を図１〜図８に示す一実施例によって説明すれば、シートの背もたれ(1) の上面には、シートフレーム(2) に溶接されている左右一対のヘッドレスト(4) のステー挿着孔であるステーパイプ(3,3) 上端が開口している。
ヘッドレスト(4) は本体(5) と、該本体(5) の下面から差出されている左右一対のステー(6,6) とからなる。
ヘッドレスト取付け部材を介して該ヘッドレスト(4) が取付けられる。該ヘッドレスト取付け部材はフレーム(7) と基台(12)とからなる。該フレーム(7) は両端部を下方に折り曲げて側面(8,8) を形成し、上面(9) には左右一対のステー貫通孔(10,10) が設けられ、両側面(8,8) 中央部にはねじ孔(11,11) が設けられる。
【０００７】
該基台(12)は箱蓋状であり、該基台(12)の上面(13)には左右一対のステー貫通孔(15,15) が設けられ、両側面(14,14) 中央部にはねじ貫通孔(17,17) が設けられ、更に該貫通孔(15,15) の外側には付属品取付け穴(16,16) が設けられている。
該背もたれ(1) 上面には該フレーム(7) が載置され、該フレーム(7) の上からは該箱蓋状の基台(12)が被着される。
【０００８】
該ヘッドレスト(4) は図３に示すように左右一対のステー(6,6) を背もたれ(1) のステーパイプ(3) に挿着することによって、該背もたれ(1) の上面上に取付けられる。この際該ステー(6,6) は該基台(12)と該フレーム(7) の貫通孔(15,15,10,10) をそれぞれ貫通する。
【０００９】
該フレーム(7) の長さＬ2 は該基台(12)の付属品取付け穴(16,16) の内縁間間隔Ｌ1 と同じかまたは若干小さく設定される（Ｌ1 ≧Ｌ2 ）。
【００１０】
図２には種々の付属品が示されている。(18)はサイドピローであり、側基板(19)と、該側基板(19)の内側周辺に取付けられているループ状のクッション材(20)と、該側基板(19)の根縁に取付けられているヒンジ部(21)とからなり、該ヒンジ部(21)は軸棒(22)と該軸棒(22)に回転可能に嵌着されている軸筒(23)とからなり、該軸筒(23)が該側基板(19)の根縁に取付けられており、該軸棒(22)下端からは中央にねじ貫通孔(24)を設けた取付けブラケット(25)が設けられており、該ブラケット(25)の上側にはワッシャ(26)が嵌着されている。
【００１１】
上記サイドピロー(18,18) をヘッドレスト(4) の側部に取付けるには、図３に示すように該サイドピロー(18,18) の取付けブラケット(25,25) を該基台(12)の取付け穴(16,16) に挿込み、該基台(12)のねじ貫通孔(17,17) からねじ(27,27) を挿入し、該ねじ(27,27) を該サイドピロー(18)の取付けブラケット(25,25) のねじ貫通孔(24,24) に貫通させ、フレーム(7) のねじ孔(11,11) に螺着し、Ｌ型締め金具(28)を使用して該ねじ(27,27) を締付ける。このようにして図４に示すように、ヘッドレスト(4) の側部にサイドピロー(18)が取付けられる。
【００１２】
他の付属品としてはグリップ(29)がある。該グリップ(29)は先端にフック(30)を設けたグリップ本体(31)と、該グリップ本体(31)の根下端部から差出される取付けブラケット(32)とからなり、該取付けブラケット(32)中央部にはねじ貫通孔(33)が設けられている。該グリップ(29)は図５に示すようにサイドピロー(18)と同様にしてヘッドレスト(4) の側部に取付けられ、後側のシートに座る人のグリップとなり、またフック(30)には買物袋(34)等を懸架する。
【００１３】
更に他の付属品としてはマルチフック(35)があり、該マルチフック(35)はフック本体(36)と該フック本体(36)の台部(37)) の下面から差出される取付けブラケット(38)からなり、該取付けブラケット(38)の中央部にはねじ貫通孔(39)が設けられている。該マルチフック(35)も図６に示すようにサイドピロー(18)やグリップ(29)と同様にしてヘッドレスト(4) の側部に取付けられ、買物袋(34)等を懸架する。
【００１４】
更に他の付属品としては杖ホルダー(40)がある。該杖ホルダー(40)は下端からねじ貫通孔(45)を設けた取付けブラケット(44)を差出した基部(41)と、該基部(41)の側面から差出されている切欠き(43)を有する円筒状ホルダー(42)とからなり、図７に示すように前記付属品と同様にしてヘッドレスト(4) の外側部に取付けられる。そして杖(46)を該切欠き(43)を介してホルダー(42)に挿着して支持する。
【００１５】
本発明にあっては、異種の付属品をヘッドレスト(4) の両側部に取付けてもよい。例えば図８にはヘッドレスト(4) の一側部にはグリップ(29)が取付けられ、他側部にはマルチフック(35)が取付けられている。また付属品はヘッドレスト(4) の片側にのみ取付けられてもよい。
【００１６】
このような付属品(18,29,35,40) をひとまとめにし、基台(12)とフレーム(7) とを組合わせ、更にねじ(27)とＬ型締め金具(28)とを付けてキットとしてもよい。
【００１７】
【発明の効果】
本発明では例えば自動車のシートのヘッドレストの側部に種々な付属品を取付けることが出来る。
【図面の簡単な説明】
図１〜図７は本発明の一実施例を示すものである。
【図１】  ヘッドレスト取付構造分解斜視図
【図２】  各種付属品説明斜視図
【図３】  付属品取付け状態説明側断面図
【図４】  サイドピロー取付け状態説明斜視図
【図５】  グリップ取付け状態説明斜視図
【図６】  マルチフック取付け状態説明斜視図
【図７】  杖ホルダー取付け状態説明斜視図
【図８】  異種付属品を取付けた状態の説明斜視図
【符号の説明】
1                 背もたれ
3                 ステーパイプ（ステー挿着孔）
4                 ヘッドレスト
6                 ステー
7                 フレーム（取付け部材）
10,15             ステー貫通孔
11                ねじ孔
12                基台（取付け部材）
16                取付け穴
17,24,33,39,45    ねじ貫通孔
18                サイドピロー（付属品）
20                クッション材
22                軸棒
25,32,38,44       取付けブラケット
27                ねじ（取付け部材）
29                グリップ（付属品）
30                フック
31                グリップ本体
35                マルチフック（付属品）
36                フック本体
40                杖ホルダー（付属品）
41                基部
42                円筒状ホルダー
【図１】
0004034109.tif 000002
【図２】
0004034109.tif 000003
【図３】
0004034109.tif 000004
【図４】
0004034109.tif 000005
【図５】
0004034109.tif 000006
【図６】
0004034109.tif 000007
【図７】
0004034109.tif 000008
【図８】
0004034109.tif 000009